(57)【特許請求の範囲】
【請求項１】
動画を記録する際、当該動画に付されるタイムコードのカウント方式を、前記動画の記録中以外もカウントを行うフリーランモードを含む複数のカウント方式のうちのいずれかに設定可能な設定手段と、
前記設定手段によってフリーランモードに設定されていない場合に、ユーザーの操作が所定の時間なかったことを含む特定の条件を満たしたことに応じて電源をオフするオートパワーオフを行うように制御し、前記設定手段によってフリーランモードに設定されている場合には、前記特定の条件を満たしても電源をオフしないように制御する制御手段と、  を有することを特徴とする動画記録装置。
【請求項２】
前記制御手段は、前記動画を撮影する撮影モードであっても、前記設定手段によってフリーランモードに設定されていない場合に、前記特定の条件を満たしたことに応じて電源をオフするように制御することを特徴とする請求項１に記載の動画記録装置。
【請求項３】
前記設定手段によってフリーランモードに設定され、前記特定の条件が満たされた場合に、警告報知を行う第１の報知手段をさらに有することを特徴とする請求項１又は２に記載の動画記録装置。
【請求項４】
前記警告報知は、フリーランモードに設定されていることを示す警告であることを特徴とする請求項３に記載の動画記録装置。
【請求項５】
前記警告報知は、前記オートパワーオフを行わないことを示す警告であることを特徴とする請求項３又は４に記載の動画記録装置。
【請求項６】
前記設定手段によって前記カウント方式の設定を行う際に、前記フリーランモードに設定するとオートパワーオフを行わないことを報知する第２の報知手段を有することを特徴とする請求項１乃至５のいずれか１項に記載の動画記録装置。
【請求項７】
電源オンの場合に、計時のためのカウントを行う際に用いられる高精度のクロックを生成する高精度信号生成回路と、
電源オフの場合に、高精度信号生成回路よりも低い周波数で発振動作を行ってカウントのための低周波クロックを生成する低周波数信号生成回路をさらに有することを特徴とする請求項１乃至６のいずれか１項に記載の動画記録装置。
【請求項８】
電源オフの場合に、前記低周波クロックによる計時処理を行う計時手段をさらに有することを特徴とする請求項７に記載の動画記録装置。
【請求項９】
前記オートパワーオフを行うか否かについて設定するためのオートパワーオフ設定手段を備え、
前記制御手段は、前記オートパワーオフ設定手段によって前記オートパワーオフを行うと設定されていない場合には、前記設定手段によってフリーランモードに設定されていない場合であってかつ前記特定の条件を満たす場合であっても、前記オートパワーオフを行わないように制御することを特徴とする請求項１乃至８のいずれか１項に記載の動画記録装置。
【請求項１０】
前記オートパワーオフ設定手段では、前記フリーランモードであるか否か拘わらず前記オートパワーオフを行う第１の設定と、前記フリーランモードの場合には前記オートパワーオフを行わない第２の設定と、前記フリーランモードであるか否かに拘わらず前記オートパワーオフを行わない第３の設定のいずれか一つが設定され、
前記制御手段は、前記オートパワーオフ設定手段によって前記第１の設定が設定されている場合には、前記設定手段によってフリーランモードに設定されている場合でも、前記特定の条件を満たすと、前記オートパワーオフを行うように制御することを特徴とする請求項９に記載の動画記録装置。
【請求項１１】
前記制御手段は、前記オートパワーオフ設定手段によって前記第３の設定が設定されている場合には、前記設定手段によってフリーランモードに設定されていない場合でかつ前記特定の条件を満たす場合であっても、前記オートパワーオフを行わないように制御することを特徴とする請求項１０に記載の動画記録装置。
【請求項１２】
前記設定手段で設定可能な前記カウント方式には、動画の記録中のみカウントを行うレックランモードが含まれていることを特徴とする請求項１乃至１１のいずれか１項に記載の動画記録装置。
【請求項１３】
電池残量が所定の閾値未満の場合に警告を行う警告手段をさらに有し、
前記警告手段は、前記設定手段によってフリーランモードに設定されている場合には、前記設定手段によってフリーランモードに設定されていない場合の警告音よりも大きな音量で前記警告を行うことを特徴とする請求項１乃至１２のいずれか１項に記載の動画記録装置。
【請求項１４】
電池残量が所定の閾値未満の場合に警告を行う警告手段をさらに有し、
前記警告手段は、前記設定手段によってフリーランモードに設定されていない場合には前記所定の閾値として第１の閾値を用い、前記設定手段によってフリーランモードに設定されている場合には前記所定の閾値として前記第１の閾値よりも大きい第２の閾値を用いることを特徴とする請求項１乃至１２のいずれか１項に記載の動画記録装置。
【請求項１５】
動画を記録する際、当該動画に付されるタイムコードのカウント方式を、前記動画の記録中以外もカウントを行うフリーランモードを含む複数のカウント方式のうちのいずれかに設定可能な設定ステップと、
前記設定ステップによってフリーランモードに設定されていない場合に、ユーザーの操作が所定の時間なかったことを含む特定の条件を満たしたことに応じて電源をオフするオートパワーオフを行うように制御し、前記設定ステップによってフリーランモードに設定されている場合には、前記特定の条件を満たしても電源をオフしないように制御する制御ステップと、
を有することを特徴とする動画記録装置の制御方法。
【請求項１６】
コンピュータを、請求項１乃至１４のいずれか１項に記載された動画記録装置の各手段として機能させるためのプログラム。
【請求項１７】
コンピュータを、請求項１乃至１４のいずれか１項に記載された動画記録装置の各手段として機能させるためのプログラムを格納したコンピュータが読み取り可能な記憶媒体。
【発明の詳細な説明】
【技術分野】
【０００１】
本発明は、動画にタイムコードを付すことができる動画記録装置、その制御方法、およびプログラム、並びに記憶媒体に関する。
【背景技術】
【０００２】
従来、電池を電源として駆動する電子機器などにおいては、限られた電池容量でその駆動時間を稼ぐ必要がある。このため、所定の時間、ユーザーの操作がないと電源をオフするオートパワーオフ機能を備える電子機器が知られている。
【０００３】
例えば、特殊オートパワーオフが設定されていると、電源投入後、所定の時間以内に特定の操作が行われない場合、通常のオートパワーオフ期間が経過するよりも早く電源をオフするようにした電子機器がある（特許文献１参照）。これによって、特許文献１に記載の電子機器では無駄な電池消耗を確実に抑えるようにしている。
【０００４】
一方、近年、高解像度の小型カムコーダー（小型ビデオカメラ）が市場に投入されている。特に、アクションカムと呼ばれるカテゴリーのカムコーダー（ビデオカメラ）では、今まで設置が困難な場所の設置が可能となる。例えば、当該カムコーダーを小型のリモコン操作可能なヘリコプターに搭載し高度を上げて無人撮影が行われている他、高速移動中の車のタイヤ脇の撮影なども行われている。このように、カムコーダーはＴＶ又は映画の撮影に積極的に用いられている。
【０００５】
さらには、複数のカムコーダーを同時に用いて様々なアングルの動画を撮影した後、これら動画を編集して１つの動画に纏めるなどの使用も行われている。この場合、カムコーダーの各々で撮影された動画に、互いに同期したタイムコードが付与されていれば、動画編集の際に複数の動画についてそのタイミングを容易に合わせることができる。
【先行技術文献】
【特許文献】
【０００６】
【特許文献１】特開２０１０−１２４０６４号公報
【発明の概要】
【発明が解決しようとする課題】
【０００７】
ところで、電源オフ中（例えば、低周波数の電源オフモードで駆動中）においては、水晶時計などは電源オン中に比べて計時用クリスタルの計時誤差が大きい。このため、電源オンから電源オフとなると、電源オンの際に設定されたタイムコードが電源オフを経由した結果、そのタイミングが大きくずれてしまう。
【０００８】
従って、複数の撮影機器を用いて撮影を行っている場合に、撮影機器の１つで特許文献１に記載のオートパワーオフが行われると、オートパワーオフを行った撮影機器のタイムコードが他の撮影機器のタイムコードとずれてしまうことになる。この結果、複数の撮影機器で得られた動画を編集する際に、互いにそのタイミングが合わなくなってしまう。
【０００９】
そこで、本発明の目的は、オートパワーオフすることによってタイムコードに誤差が生じることを抑制することのできる動画記録装置、その制御方法、およびプログラム、並びに記憶媒体を提供することにある。
【課題を解決するための手段】
【００１０】
上記の目的を達成するため、本発明による動画記録装置は、動画を記録する際、当該動画に付されるタイムコードのカウント方式を、前記動画の記録中以外もカウントを行うフリーランモードを含む複数のカウント方式のうちのいずれかに設定可能な設定手段と、前記設定手段によってフリーランモードに設定されていない場合に、ユーザーの操作が所定の時間なかったことを含む特定の条件を満たしたことに応じて電源をオフするオートパワーオフを行うように制御し、前記設定手段によってフリーランモードに設定されている場合には、前記特定の条件を満たしても電源をオフしないように制御する制御手段と、を有することを特徴とする。
【発明の効果】
【００１１】
本発明によればオートパワーオフすることによってタイムコードに誤差が生じることを抑制することができる。
【図面の簡単な説明】
【００１２】
【図１】本発明の第１の実施形態による動画記録装置の一例についてその構成を示すブロック図である。
【図２】図１に示すビデオカメラで行われるオートパワーオフ関連処理を説明するためのフローチャートである。
【図３】図２に示すオートパワーオフ処理を説明するためのフローチャートである。
【図４】図１に示すビデオカメラにおいてタイムコードのカウント手法を選択するためのメニュー設定画面の一例を説明するための図であり、（ａ）はメニュー設定画面でレックランが選択された状態を示す図、（ｂ）はメニュー設定画面でフリーランが選択された状態を示す図である。
【図５】本発明の第２の実施形態によるビデオカメラにおいてオートパワーオフ関するメニュー設定画面の一例を示す図である。
【図６】本発明の第２の実施形態によるビデオカメラで行われるオートパワーオフ関連処理を説明するためのフローチャートである。
【発明を実施するための形態】
【００１３】
以下に、本発明の実施の形態による動画記録装置の一例について図面を参照して説明する。
【００１４】
［第１の実施形態］
図１は、本発明の第１の実施形態による動画記録装置の一例についてその構成を示すブロック図である。
【００１５】
図示の動画記録装置は、デジタルビデオカメラ（以下単にビデオカメラと呼ぶ）１００であり、制御部１０を備えている。そして、制御部１０には、画像圧縮／伸長部１１、撮像部１２、画像処理部１３、低周波数信号生成回路１４、高精度信号生成回路１５、表示部１６、操作部１７、ＲＯＭ１８、ＲＡＭ１９、着脱可能記録媒体Ｉ／Ｆ２０、電源部２２、および音声発生部２３２が接続されている。
【００１６】
制御部１０は、ビデオカメラ１００全体の制御を司る。制御部１０は、ＲＯＭ１８に記録されたプログラムをＲＡＭ１９に展開して実行することによって、構成ブロックの各々を制御して、後述するフローチャートに係る処理を行う。ＲＯＭ１８は、書き込み可能な不揮発性の記録媒体であって、制御部１０で実行されるプログラムが記憶されている。
【００１７】
ＲＡＭ１９は制御部１０のワークメモリとして用いられる揮発性の記録媒体である。また、ＲＡＭ１９は、撮像部１２で撮像され画像処理１３で画像処理された画像データ又は着脱可能記録媒体２１から読み出された画像データを、画像圧縮／伸長部１１において圧縮処理又は伸長処理をする際のバッファとして用いられる。さらに、ＲＡＭ１９は、画像データを表示部１６に画像として表示する際に画像データを一時格納するＶＲＡＭとしても用いられる。そして、ＲＡＭ１９は、撮像の結果得られた画像データと関連付けられた属性情報を一時格納するメモリとして用いられる。
【００１８】
ビデオカメラ１００には、画像データを記録するための記録媒体２１が装着可能である。ビデオカメラ１００に記録媒体２１を装着する際には、着脱可能記録媒体Ｉ／Ｆ（２０）が用いられる。着脱可能記録媒体Ｉ／Ｆ（２０）はメモリカードなどの記録媒体２１を挿入可能なスロットを有している。
【００１９】
なお、図示のビデオカメラ１００においては、着脱可能な記録媒体２１に画像データを記録するようにしたが、着脱不可でビデオカメラ１００に内蔵されたメモリに画像データを記録するようにしてもよい。
【００２０】
画像処理部１３は、撮像部１２で得られた画像信号に対して、所定の画素補間、リサイズ処理、および色変換処理などの画像処理を行って画像データを得る。また、画像処理部１３は画像データを用いて所定の演算処理を行う。そして、制御部１０は、当該演算処理によって得られた演算結果に基づいて撮像部１２に対して各種制御（例えば、露光制御およびオートホワイトバランス制御）を行う。
【００２１】
画像圧縮／伸長部１１は画像処理部１３の出力である画像データを圧縮する処理、そして、着脱可能記録媒体２１から読み出された画像データを伸長する伸長処理を行う。
【００２２】
撮像部１２は、撮影レンズユニット（ズームレンズおよびフォーカスレンズを含む）およびＣＣＤ又はＣＭＯＳセンサーなどの撮像素子を備えている。撮像部１２は、制御部１０の制御下で被写体を撮像して、静止画又は動画像などの画像信号を出力する。
【００２３】
表示部１６は、制御部１０の制御下で、ビデオカメラ１００の設定状態、撮像部１２による撮像の結果得られた画像、そして、着脱可能記録媒体２１から読み出されて再生された画像などを表示する。なお、表示部１６は、例えば、覗き込み形のファインダー内のディスプレイ又はバリアングルの液晶モニタなどとして構成される。
【００２４】
操作部１７は、ユーザーによる操作を受け付けるためのものであり、ビデオカメラ１００に電力を供給するための電源スイッチおよび撮影開始ボタンを備えている。さらに、操作部１７には、カメラモード（撮影モード）と再生モードとを切り替えるためのモード切替ボタンなどが備えられている。
【００２５】
低周波数信号生成回路１４は、制御部１０による電源ＯＦＦ処理終了の後に出力する開始命令に基づいて、高精度信号生成回路１５よりも低い周波数で発振動作を行って低周波クロックを生成する。そして、低周波数信号生成回路１４は電源ＯＦＦの際に低周波数による計時処理を行う。電源ＯＮの場合に、制御部１０は低周波数信号生成回路１４による計時結果を取得して、電源ＯＦＦの前にバックアップされた日時情報およびフリーランタイムコード情報に当該計時結果を反映させる。
【００２６】
高精度信号生成回路１５は、制御部１０が電源ＯＮの後に出力する開始命令に基づいて高精度信号（高精度のクロック）を生成する。そして、高精度信号に基づいて、制御部１０は日時情報およびタイムコード情報の更新を行うとともに、ビデオカメラ１００全体の同期処理を行う。
【００２７】
電源部２２は、電源部２２に装着された電池から電力をビデオカメラ１００の各部に供給する。電源部２２は、電池残量を電池の電圧に基づいて検知して、当該電池残量を制御部１０に通知する。また、電源部２２はＡＣ電源など電池以外の電源から電力を供給することができる。
【００２８】
音声発生部２３２は、スピーカなどを有しており、操作音および警告音を発音する。
【００２９】
図２は、図１に示すビデオカメラで行われるオートパワーオフ関連処理を説明するためのフローチャートである。このオートパワーオフ関連処理は、ＲＯＭ１８に記録されたプログラムをＲＡＭ１９に読み出して当該プログラムを制御部１０が実行することによって行われる。なお、電源ＯＮである場合に、制御部１０によって定期的にこのオートパワーオフ関連処理が行われる。
【００３０】
オートパワーオフ関連処理を開始すると、制御部１０は、ＲＯＭ１８に記録された設定情報を参照して、ユーザーによってオートパワーオフ機能が有効（ＯＮ）とされているか否かを判定する（Ｓ２０１）。なお、ユーザーは、予め操作部１７によってオートパワーオフ機能の有効又は無効を設定することができる。
【００３１】
オートパワーオフ機能がＯＮであると（Ｓ２０１において、ＹＥＳ）、制御部１０は、オートパワーオフの実施条件が満たされているか、つまり、ＯＮであるか否かを判定する（Ｓ２０２）。
【００３２】
なお、オートパワーオフの実施条件として、例えば、動画又は静止画の記録処理中でなく、かつ所定の時間ユーザーの操作入力がないという条件が用いられる。つまり、動画の撮影および記録中であれば、制御部１０はユーザーの操作が所定の時間ない場合でもオートパワーオフを実施しない。
【００３３】
オートパワーオフの実施条件が満たされていると（Ｓ２０２において、ＹＥＳ）、制御部１０はタイムコードのカウントの手法（カウント方式：カウントモード）として所謂フリーランモードが設定されているか否かを判定する（Ｓ２０３）。なお、ユーザーは、予めタイムコードのカウント手法をレックランモード又はフリーランモードに設定可能である。このタイムコードの設定手法については後述する。
【００３４】
タイムコードのカウント手法がフリーランモードでないと（Ｓ２０３において、ＮＯ）、制御部１０は、ビデオカメラ１００のオートパワーオフ処理を行う（Ｓ２０４）。そして、制御部１０は、オートパワーオフ関連処理を終了する。なお、オートパワーオフ処理については後述する。
【００３５】
なお、動画撮影モードであっても、動画の記録が行われていない状態で、フリーランモードに設定されていない場合に、前述のオートパワーオフ実施条件が満たされると、制御部１０はオートパワーオフ処理を行うことになる。
【００３６】
タイムコードのカウント手法がフリーランモードであると（Ｓ２０３において、ＹＥＳ）、制御部１０は、所定の時間ユーザーの操作が無かった旨（例えば、「所定の時間操作がありません」とのメッセージ）を表示部１６に表示する（Ｓ２０５）。さらに、制御部１０は音声発生部２３２よって、警告音を音量「大」で出力する。そして、制御部１０は、後述するＳ２０６の処理に進む。
【００３７】
これによって、動画記録を行っておらず、かつ無操作時間が所定の時間経過した場合（つまり、オートパワーオフ実施条件を満たす場合）においても電源がオフにならないことについて誤動作であるとユーザーが誤認することを防止することができる。また、ユーザーが意図することなくフリーランモードに設定されていた場合には、ユーザーがフリーランモードの設定を容易に気づくことができる。
【００３８】
この結果、ユーザーがフリーランモードの設定をオフにする（レックランモードの設定にするか又はタイムコードのカウントを行わない設定にする）か又は手動で電源をオフにすることで、不用意に電池を消耗してしまうという事態を防止することができる。
【００３９】
なお、所定の時間操作が無い場合には、ユーザーがビデオカメラ１００の近くにおらず、表示部１６を視認していない状態である可能性がある。このため、図示の例では、警告音を、音量を大きくして発することによって、ビデオカメラ１００から多少離れた位置にいるユーザーにおいてもフリーランモードの設定に気づくことができる。
【００４０】
続いて、制御部１０は、電池残量が所定の閾値未満であるか否か（つまり、電源部２２の電圧が所定の閾値未満であるか否か）を判定する（Ｓ２０６）。なお、オートパワーオフ機能がＯＦＦである場合には（Ｓ２０１において、ＮＯ）、制御部１０はＳ２０６の処理に進む。また、オートパワーオフ実施条件が満たされていないと（Ｓ２０２において、ＮＯ）、制御部１０はＳ２０６の処理に進む。
【００４１】
電池残量が所定の閾値以上であると（Ｓ２０６において、ＮＯ）、制御部１０はオートパワーオフ関連処理を終了する。一方、電池残量が所定の閾値未満であると（Ｓ２０６において、ＹＥＳ）、制御部１０はタイムコードのカウント手法としてフリーランモードが設定されているか否かを判定する（Ｓ２０７）。
【００４２】
タイムコードのカウント手法としてフリーランモードが設定されていないと（Ｓ２０７において、ＮＯ）、制御部１０は所定の時間（例えば、５秒）、通常時における電源オフ警告（残量低下警告）を行う（Ｓ２０８）。この警告によって、電池残量が残り少なくなったこと（又は電池残量が無くなったこと）をユーザーに通知するとともに、電源電圧の低下に起因する電源オフをユーザーに通知する。
【００４３】
なお、電源オフ警告においては、表示部１６に、例えば、「電池残量が無くなったため電源をオフします」などのメッセージが表示されるとともに、電池残量を示すアイコンを赤色で大きく表示するか又は点滅させるなどの強調表示が行われる。さらに、制御部１０は音声発生部２３よって、警告音を音量「中」として発音する。
【００４４】
電源オフ警告期間中において、ＡＣ電源などの電池以外の電源をビデオカメラ１００に接続して電力供給を行えば、ユーザーは電池残量の低下による電源オフを回避して、ビデオカメラ１００を継続して電源オンとして使用することができる。
【００４５】
通常電源オフ警告を所定の時間行った後、制御部１０は、ビデオカメラ１００の電源をオフする（Ｓ２０９）。電源がオフされると、前述のように、低周波信号生成回路１４が、時計などのカウントのために低周波による計時処理を行う。そして、制御部１０はオートパワーオフ関連処理を終了する。
【００４６】
タイムコードのカウント手法としてフリーランモードが設定されていると（Ｓ２０７において、ＹＥＳ）、制御部１０は、所定の時間（例えば、５秒）、フリーラン時電源オフ警告（残量低下警告）を行う（Ｓ２１０）。この警告によって、電池残量が残り少なくなったこと（又は電池残量が無くなったこと）をユーザーに通知するとともに、電池残量の低下による電源オフをユーザーに通知する。
【００４７】
フリーラン時電源オフ警告では、制御部１０は表示部１６に、例えば、「電池残量が無くなったため電源をオフします」などのメッセージを表示する。さらに、制御部１０は、表示部１６に電池残量を示すアイコンを赤色で大きく表示するか又は点滅させるなどの強調表示を行う。
【００４８】
但し、フリーランモードの際に電源がオフされると、カウントにズレが生じる恐れがあるので、ユーザーに電源オフを確実に通知して認識させる必要がある。このため、フリーラン時電源オフ警告では、通常時電源オフ警告よりもより警告を強調する。そして、制御部１０は通常時電源オフ警告音よりも音量を大きくする。つまり、制御部１０は音量「大」として警告を発音する。
【００４９】
なお、フリーラン時電源オフ警告期間中において、ユーザーがＡＣ電源などの電池以外の電源をビデオカメラ１００に接続して電力供給を行えば、ユーザーは電池残量の低下による電源オフを回避して、ビデオカメラ１００を継続して電源オンとして使用することができる。よって、ユーザーはフリーランモードにおいて正確なカウントの継続を望むのであれば、フリーラン時電源オフ警告によって電源がオフとならないように対処することができる。
【００５０】
上述のフリーラン時電源オフ警告（残量低下警告）は通常時電源オフ警告よりも早いタイミングで行うようにしてもよい。この場合には、フリーラン時電源オフ警告を行うか否かを判定する際に用いられる電池残量の閾値（第２の閾値）を、通常時電源オフ警告を行うか否かを判定する際に用いられる電池残量の閾値（第１の閾値）よりも大きくする。
【００５１】
フリーラン時電源オフ警告を所定の時間行った後、制御部１０はビデオカメラ１００の電源をオフする（Ｓ２１１）。その後、制御部１０はオートパワーオフ関連処理を終了する。
【００５２】
電源をオフとすると、前述のようにして低周波信号生成回路１４は低周波による計時処理を行う。そして、低周波による計時処理結果は、次回の電源オンの際にフリーランによるカウント値に加算することによって反される。つまり、フリーランにおけるカウントは止まることなく進捗する（フリーランよるカウントが継続する）。フリーランによるカウントにおいても、前述のように、電源オン中における高周波による計時処理よりも精度が低いので、フレーム単位においてズレが生じる可能性がある。
【００５３】
なお、図２に示すオートパワーオフ関連処理は、ビデオカメラ１０の電源がオンである場合には、所定の周期で繰り返し行われる。
【００５４】
図３は、図２に示すオートパワーオフ処理を説明するためのフローチャートである。
【００５５】
オートパワーオフ処理を開始すると、制御部１０は、まずオートパワーオフ警告を行う（Ｓ３０１）。当該オートパワーオフ警告においては、制御部１０は、表示部１６に、例えば、「オートパワーオフします」などのメッセージを表示する。さらに、制御部１０は、音声発生部２３から、警告音を音量「中」で発音する。オートパワーオフ警告は、所定の時間無操作であった後に行われるので、ユーザーが表示部１６を見ていない可能性を考慮して音声による警告が行われる。
【００５６】
続いて、制御部１０は、内蔵の警告期間タイマーで予め設定された警告期間（例えば、４秒）の計時を開始する（Ｓ３０２）。そして、制御部１０は、上記の警告期間が満了したか否かを判定する（Ｓ３０３）。
【００５７】
警告期間が満了していないと（Ｓ３０３において、ＮＯ）、制御部１０は待機する。一方、警告期間が満了すると（Ｓ３０３において、ＹＥＳ）、制御部１０は、ビデオカメラ１００の電源をオフする（Ｓ３０４）。電源をオフとすると、前述の低周波信号生成回路１４は低周波による計時処理を行う。そして、制御部１０はオートパワー処理を終了する。
【００５８】
なお、オートパワーオフ警告の警告期間が満了する前に、ユーザーによって何らかの操作が行われると、制御部１０は、Ｓ３０４の電源オフ処理を行わず、オートパワー処理を終了する。つまり、ユーザーは、オートパワーオフ警告の警告期間が満了する前に何らかの操作を行えば、オートパワーオフによる電源オフを回避することができる。
【００５９】
図４は、図１に示すビデオカメラにおいてタイムコードのカウント手法を選択するためのメニュー設定画面（タイムコード動作設定画面）の一例を説明するための図である。そして、図４（ａ）はメニュー設定画面でレックラン（ＲＥＣ  ＲＵＮ）が選択された状態を示す図であり、図４（ｂ）はメニュー設定画面でフリーラン（ＦＲＥＥ  ＲＵＮ）が選択された状態を示す図である。
【００６０】
図示の例では、タイムコードのカウント手法（カウントモード）として選択可能なモードは２つある。ここでは、カウントモードとしてレックラン（ＲＥＣ  ＲＵＮ）モードとフリーラン（ＦＲＥＥ  ＲＵＮ）モードとがある。
【００６１】
図４（ａ）に示すメニュー設定画面（タイムコード動作設定画面）においては、タイムコード動作設定においてレックランの欄が選択されている。ユーザーがレックランを選択してセットボタン（図示せず）を押し下げるなどの決定操作を行うと、制御部１０はタイムコード動作、つまり、カウントモードをレックランモードとしてＲＯＭ１８に記録する。
【００６２】
なお、レックランモードは、タイムコードは画像記録中にのみ進捗する（つまり、カウントを行う）モードである。そして、レックランモードの場合には、制御部１０は動画にレックランモードでカウントされたフレーム毎のタイムコードをメタデータとして記録する。
【００６３】
図４（ｂ）に示すタイムコード動作設定画面においては、タイムコード動作設定においてフリーランの欄が選択されている。フリーランを選択すると、制御部１０は、タイムコード動作設定画面に、例えば、「ＦＲＥＥ  ＲＵＮ時にはオートパワーオフは作動しません」という文を表示する。ユーザーがフリーランを選択してセットボタンを押し下げるなどの決定操作を行うと、制御部１０はタイムコード動作、つまり、カウントモードをフリーランモードとしてＲＯＭ１８に記録する。
【００６４】
なお、フリーランモードでは、タイムコードは動画を記録していない（記録中以外の）期間も含めて常時進捗する。フリーランモードを用いると、他のビデオカメラと同時に撮影を行う場合に、スタートタイミングを合わせて時間軸を統一させることができる。さらには、１つのビデオカメラで撮影された動画の各フレームを個別に判別できるので、編集の際の利便性が高くなる。
【００６５】
フリーランモードの場合には、制御部１０は動画にフリーランモードでカウントされたフレーム毎のタイムコードをメタデータとして記録する。
【００６６】
フリーランモードを設定した場合には、制御部１０はオートパワーオフ機能を強制ＯＦＦとする。このため、図４（ｂ）に示すように、制御部１０はユーザーに警告報知として「ＦＲＥＥ  ＲＵＮ時にはオートパワーオフは作動しません」などのメッセージを表示する。これによって、フリーランモードを設定すると、オートパワーオフが行われないこと（つまり、無操作で放置しても電池を消耗していくこと）を予めユーザーに認識させることができる。
【００６７】
このように、本発明の第１の実施形態では、所定のオートパワーオフ実施条件が満たされたとしても、タイムコードのカウントモードとしてフリーランモードが設定されていると、電源をオフ制御しない。これによって、たとえ、オートパワーオフ機能がＯＮとされていてもタイムコードに生じる誤差を抑制することができる。
【００６８】
［第２の実施形態］
続いて、本発明の第２の実施形態によるビデオカメラの一例について説明する。なお、第２の実施形態によるビデオカメラの構成は図１に示すビデオカメラと同様である。
【００６９】
前述の第１の実施形態においては、オートパワーオフ機能をＯＮ又はＯＦＦに設定可能な例について説明した。一方、第２の実施形態においては、オートパワーオフ機能を常時ＯＮとするか、フリーランモードの際にのみオートパワーオフ機能をＯＦＦとするか、又はオートパワーオフ機能を常時ＯＦとするかを設定することができる。
【００７０】
図５は、本発明の第２の実施形態によるビデオカメラにおいてオートパワーオフ関するメニュー設定画面（オートパワーオフ設定画面）の一例を示す図である。
【００７１】
図示のオートパワーオフ設定画面においては、オートパワーオフ設定で３つのモードが選択できる。第１のオートパワーオフモード（第１の設定）は常時ＯＮモードである。この常時ＯＮモードでは、タイムコードのカウントモードの設定に拘わらず、制御部１０はオートパワーオフ処理を実行する。
【００７２】
第２のオートパワーオフモード（第２の設定）はフリーラン時ＯＦＦモードである。このフリーラン時ＯＦＦモードでは、タイムコードのカウントモードがフリーランモードに設定されると、制御部１０はオートパワーオフ機能をＯＦＦとする。つまり、フリーラン時ＯＦＦモードでは、制御部１０はタイムコードのカウントモードがフリーランモードに設定されると、オートパワーオフ処理を無効とする。
【００７３】
第３のオートパワーオフモード（第３の設定）は常時ＯＦＦモードである。この常時ＯＦＦモードでは、制御部１０は常時オートパワー処理を無効とする。つまり、タイムコードのカウントモードがフリーランモードに設定されているか否かに拘わらず、制御部１０は前述のオートパワーオフ実施条件が満たされてもオートパワーオフ処理を行わない。
【００７４】
なお、ユーザーの操作によってオートパワーオフ設定画面において設定されたオートパワーオフモードは、制御部１０によって設定情報としてＲＯＭ１８に記録される。
【００７５】
図６は、本発明の第２の実施形態によるビデオカメラで行われるオートパワーオフ関連処理を説明するためのフローチャートである。
【００７６】
なお、図示のフローチャートに係る処理は、ＲＯＭ１８に記録されたプログラムをＲＡＭ１９に読み出して制御部１０が実行することによって行われる。そして、この処理は、制御部１０によって所定の周期で繰り返される。
【００７７】
オートパワーオフ関連処理を開始すると、制御部１０は、ＲＯＭ１８に設定された設定情報を参照して、オートパワーオフ機能について「常時ＯＦＦ」が設定されているか否かを判定する（Ｓ６０１）。「常時ＯＦＦ」が設定されていない場合には（Ｓ６０１において、ＮＯ）、制御部１０は、前述のＳ２０２の処理と同様に、オートパワーオフの実施条件が満たされているかを判定する（Ｓ６０２）。
【００７８】
オートパワーオフの実施条件が満たされていると（Ｓ６０２において、ＹＥＳ）、制御部１０は、ＲＯＭ１８に設定された設定情報を参照して、オートパワーオフ機能について「フリーラン時ＯＦＦ」が設定されているか否かを判定する（Ｓ６０３）。
【００７９】
「フリーラン時ＯＦＦ」が設定されていないと（Ｓ６０３において、ＮＯ）、つまり、「常時ＯＮ」が設定されていると、制御部１０は、オートパワーオフ処理を行う（Ｓ６０４）。そして、制御部１０はオートパワーオフ関連処理を終了する。なお、Ｓ６０４で行われるオートパワーオフ処理は、図３で説明したオートパワーオフ処理と同様である。
【００８０】
このように、「常時ＯＮ」に設定されている場合には、制御部１０は、たとえカウントモードがフリーランモードに設定されている場合であってもオートパワーオフの実施条件を満たせばオートパワーオフ処理を行うことになる。
【００８１】
「フリーラン時ＯＦＦ」が設定されている場合には（Ｓ６０３において、ＹＥＳ）、制御部１０は、前述のＳ２０３の処理と同様に、タイムコードのカウントモードとしてフリーランモードが設定されているか否かを判定する（Ｓ６０５）。カウントモードがフリーランモードでないと（Ｓ６０５において、ＮＯ）、制御部１０はＳ６０４の処理に進む。
【００８２】
一方、カウントモードがフリーランモードであると（Ｓ６０５において、ＹＥＳ）、制御部１０は、前述のＳ２０５の処理と同様に、所定の時間ユーザーの操作が無かった旨を表示部１６に表示するとともに、音声発生部２３２よって警告音を音量「大」で出力する（Ｓ６０６）。その後、制御部１０は、電池残量に応じた処理を行う（Ｓ６０７）。そして、制御部１０はオートパワーオフ関連処理を終了する。なお、Ｓ６０７の処理は、図２で説明したＳ２０６〜Ｓ２１１の処理と同様である。
【００８３】
また、「常時ＯＦＦ」が設定されている場合には（Ｓ６０１において、ＹＥＳ）、制御部１０はＳ６０７の処理に進む。さらに、オートパワーオフの実施条件が満たされていないと（Ｓ６０２において、ＮＯ）、制御部１０はＳ６０７の処理に進む。
【００８４】
このように、本発明の第２の実施形態においても、所定のオートパワーオフ実施条件が満たされた場合であっても、タイムコードのカウントモードとしてフリーランモードが設定されていると、電源をオフ制御しない。これによって、たとえ、オートパワーオフ機能がＯＮとされていてもタイムコードに生じる誤差を抑制することができる。
【００８５】
上述の説明から明らかなように、図１に示す例では、制御部１０および操作部１７が設定手段およびオートパワーオフ設定手段として機能する。さらに、制御部１０、表示部１６、および音声発生部２３２は第１の報知手段、第２の報知手段、および警告手段として機能する。
【００８６】
なお、制御部１０における制御は１つのハードウェアが行ってもよいし、複数のハードウェアが処理を分担することで、装置全体の制御を行ってもよい。
【００８７】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００８８】
また、上述した実施形態においては、本発明をビデオカメラ１００などの撮像装置に適用した場合を例にして説明したが、この例に限定されず記録する動画にタイムコードを付すことのできる動画記録装置であれば適用可能である。すなわち、本発明は、動画の撮影を行う各種撮像装置に適用可能なことはいうまでもないが、撮像した動画以外の動画（例えば、テレビ放送などの動画、外部機器から無線又は有線で受信した動画など）を記録する装置にも適用可能である。従って、例えば、パーソナルコンピュータやＰＤＡ、携帯電話端末や携帯型の画像ビューワ、ゲーム機、電子ブックリーダー、ハードディスクレコーダー、ＤＶＤレコーダー、Ｂｌｕ−ｒａｙ（登録商標）レコーダーなどに適用可能である。
【００８９】
［その他の実施形態］
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００９０】
１００  ビデオカメラ
１０  制御部
１２  撮像部
１３  画像処理部
１４  低周波数信号生成回路
１５  高精度信号生成回路
１６  表示部
１７  操作部
２２  電源部
２３２  音声発生部
【図１】
0006504919.tif 000002
【図２】
0006504919.tif 000003
【図３】
0006504919.tif 000004
【図４】
0006504919.tif 000005
【図５】
0006504919.tif 000006
【図６】
0006504919.tif 000007